(57)【要約】 【課題】  複数の発光素子からのレーザ光を用いて異なる種類の光ディスクを互換記録／再生する際、ランド／グルーブ記録型の光ディスクに対しても良好にフォーカスエラー信号を導出できるようにする。【解決手段】  ディスクからの反射光は、ＨＯＥ素子１１２によって、０次回折光と±１次回折光に分離される。このとき、＋１次回折光には収束作用が付与され、−１次回折光には拡散作用が付与される。これらの回折光は、さらにシリンダレンズ１１３によって非点収差作用が付与された後、ＰＤ１１４によって受光される。ＰＤ１１４は０次回折光を受光する４分割センサーと、±１次回折光を受光する２組の３分割センサーを備える。４分割センサーからの電気信号により非点収差法に従うフォーカスエラー信号を導出し、２組の３分割センサーからの電気信号によりビームサイズ法に従うフォーカスエラー信号を導出する。【選択図】    図１
2005174503.tif 000002
【特許請求の範囲】
【請求項１】
波長の異なる複数種類のレーザ光を発する発光素子を備える半導体レーザと、
前記半導体レーザからのレーザ光を光ディスク上に収束させる対物レンズと、
前記光ディスクからの反射光を０次回折光と±１次回折光に分離するとともに前記±１次回折光にそれぞれ異なる収束または拡散作用を付与する回折手段と、
前記回折手段の前または後に配され前記ディスクからの反射光に非点収差作用を導入する非点収差導入手段と、
前記０次回折光を受光して電気信号を出力する第１の光検出手段と、
前記±１次回折光をそれぞれ受光して電気信号を出力する第２の検出手段と、
を有することを特徴とする光ピックアップ。
【請求項２】
請求項１において、
前記±１次回折光に付与される収束または拡散作用は、収束または拡散作用の大きさが同一で、且つ、＋１次光に収束作用を付与し−１次光に拡散作用を付与するものである、
ことを特徴とする光ピックアップ。
【請求項３】
波長の異なる複数種類のレーザ光を発する発光素子を備える半導体レーザと、
前記半導体レーザからのレーザ光を光ディスク上に収束させる対物レンズと、
前記光ディスクからの反射光を０次回折光と±１次回折光に分離するとともに前記±１次回折光にそれぞれ異なる非点収差作用を付与する回折手段と、
前記回折手段の前または後に配され前記ディスクからの反射光に非点収差作用を導入する非点収差導入手段と、
前記０次回折光を受光して電気信号を出力する第１の光検出手段と、
前記±１次回折光をそれぞれ受光して電気信号を出力する第２の検出手段と、
を有することを特徴とする光ピックアップ。
【請求項４】
請求項３において、
前記±１次回折光に付与される非点収差作用は、非点収差作用の大きさが同一で、且つ、＋１次光に収束方向の非点収差作用を付与し−１次光に拡散方向の非点収差作用を付与するものである、
ことを特徴とする光ピックアップ。
【請求項５】
請求項１ないし４の何れかにおいて、
前記第１の光検出手段は、直交する２つの分割線によって分割されたセンサー領域を有するとともに、前記分割線の交点上を前記０次回折光の光軸が貫き、且つ、前記分割線の一方が前記光ディスクのトラック方向となるように前記センサー領域が配置されており、
前記第２の光検出手段は、平行な２つの分割線によって分割されたセンサー領域を有する２組のセンサー群からなり、各センサー群の中央のセンサー領域のほぼ中央にそれぞれ前記±１次回折光が照射されるよう配置されており、
前記第１の光検出手段と第２の光検出手段の各センサー領域が、同一の光検出器上に配置されている、
ことを特徴とする光ピックアップ。
【請求項６】
請求項１ないし５の何れかにおいて、
前記回折手段は、ホログラム面を有し、当該ホログラムは、前記レーザ光の波長に応じて、前記０次回折光と±１次回折光の光量比が相違するよう設定されている、
ことを特徴とする光ピックアップ。
【請求項７】
請求項６において、
前記回折手段のホログラム面は、ランド／グルーブ記録方式の光ディスク用として用いられるレーザ光の±１次回折光の光量の方が、単一トラック記録方式の光ディスク用として用いられるレーザ光の±１次回折光の光量よりも大きくなるよう設定されている、
ことを特徴とする光ピックアップ。
【請求項８】
波長の異なる複数種類のレーザ光を発する発光素子を備える半導体レーザと、
前記半導体レーザからのレーザ光を光ディスク上に収束させる対物レンズと、
前記光ディスクからの反射光を０次回折光と±１次回折光に分離するとともに前記±１次回折光にそれぞれ異なる収束または拡散作用を付与する回折手段と、
前記回折手段の前または後に配され前記ディスクからの反射光に非点収差作用を導入する非点収差導入手段と、
前記０次回折光を受光して電気信号を出力する第１の光検出手段と、
前記±１次回折光をそれぞれ受光して電気信号を出力する第２の検出手段と、
を有する光ピックアップと、
前記第１の光検出手段から出力される電気信号から第１のフォーカスエラー信号を生成する第１のフォーカスエラー信号生成手段と、
前記第２の光検出手段から出力される電気信号から第２のフォーカスエラー信号を生成する第２のフォーカスエラー信号生成手段と、
装着された光ディスクの種別を判別するディスク種別判別手段と、
前記ディスク種別判別手段による判別結果に応じて、第１のフォーカスエラー信号または第２のフォーカスエラー信号を選択し、選択したフォーカスエラー信号に基づいて前記光ディスクに対するフォーカスずれを調整するフォーカス制御手段と、
を有することを特徴とする光ディスク装置。
【請求項９】
波長の異なる複数種類のレーザ光を発する発光素子を備える半導体レーザと、
前記半導体レーザからのレーザ光を光ディスク上に収束させる対物レンズと、
前記光ディスクからの反射光を０次回折光と±１次回折光に分離するとともに前記±１次回折光にそれぞれ異なる非点収差作用を付与する回折手段と、
前記回折手段の前または後に配され前記ディスクからの反射光に非点収差作用を導入する非点収差導入手段と、
前記０次回折光を受光して電気信号を出力する第１の光検出手段と、
前記±１次回折光をそれぞれ受光して電気信号を出力する第２の検出手段と、
を有する光ピックアップと、
前記第１の光検出手段から出力される電気信号から第１のフォーカスエラー信号を生成する第１のフォーカスエラー信号生成手段と、
前記第２の光検出手段から出力される電気信号から第２のフォーカスエラー信号を生成する第２のフォーカスエラー信号生成手段と、
装着された光ディスクの種別を判別するディスク種別判別手段と、
前記ディスク種別判別手段による判別結果に応じて、第１のフォーカスエラー信号または第２のフォーカスエラー信号を選択し、選択したフォーカスエラー信号に基づいて前記光ディスクに対するフォーカスずれを調整するフォーカス制御手段と、
を有することを特徴とする光ディスク装置。
【請求項１０】
請求項９において、
前記フォーカス制御手段は、装着された光ディスクがランド／グルーブ記録方式の光ディスクであるときには前記第２のフォーカスエラー信号をもとにフォーカスずれを調整し、装着された光ディスクが単一トラック記録方式の光ディスクであるときには前記第１のフォーカスエラー信号をもとにフォーカスずれを調整する、
ことを特徴とする光ディスク装置。
【請求項１１】
請求項９または１０において、
前記ディスク種別判別手段は、前記半導体レーザから波長を切り替えながらレーザ光を出射し、装着された光ディスクをそれぞれの波長のレーザ光にて再生したときの再生状態に基づいて、当該光ディスクの種別を判別する、
ことを特徴とする光ディスク装置。
【請求項１２】
請求項１１において、
前記ディスク種別判別手段は、前記半導体レーザから波長を切り替えながらレーザ光を出射するとともに、前記第１および第２のフォーカスエラー信号のうち、それぞれのレーザ光を用いたときの再生モードに適したフォーカスエラー信号にてフォーカス制御を行って装着された光ディスクを再生し、当該再生の可否に基づいて、当該光ディスクの種別を判別する、
ことを特徴とする光ディスク装置。
【発明の詳細な説明】
【技術分野】
【０００１】
本発明は、光ピックアップおよび光ディスク装置に関し、特に、異なる種類のディスクを互換再生する際に用いて好適なものである。
【背景技術】
【０００２】
現在、ＣＤ（Compact Disc）やＤＶＤ（Digital Versatile Disc）等、様々な光ディスクが商品化され普及している。さらに、最近では、青色レーザ光を用いて情報を記録再生するＡＯＤ（Advanced Optical Disc）の規格化が進められている。かかるＡＯＤは、波長４０５ｎｍのレーザ光を用いて情報を記録再生するものである。レーザ光の短波長化によって記録情報のさらなる高密度化を図ることができる。
【０００３】
これらの光ディスクに対し情報を記録再生する場合、レーザ波長やディスクの構造に応じて、対物レンズのＮＡ（開口数）や光検出器のセンサーパターンを最適化させる必要がある。また、フォーカスエラーやトラッキングエラーの検出方法もディスク毎に好ましいものを採用する必要がある。
【０００４】
たとえば、ＣＤ−ＤＡやＣＤ−ＲＯＭでは、フォーカスエラーの検出方法として非点収差法が広く用いられており、また、トラッキングエラーの検出方法としては、通常、３ビーム法が用いられている。これに対し、ＤＶＤ−ＲＡＭやＡＯＤでは、ランドとグルーブの両方に情報を記録する、いわゆるランド／グルーブ記録方式が採用されていることから、フォーカスエラーの検出方法として従来の非点収差法をそのまま用いると、精度の良いフォーカスエラー信号を導出することができなくなる。ランド／グルーブ記録方式の光ディスクに対して非点収差法をそのまま用いると、「トラッキング干渉」と呼ばれる現象が生じ、これにより、フォーカスエラー信号に「トラッキング横断ノイズ」と呼ばれるノイズが発生することが知られている（たとえば、以下の特許文献１参照）。
【０００５】
ここで、「トラッキング干渉」とは、ビームスポットがトラックを横断した際にフォーカスエラー信号に大きな変化が起こる現象のことであり、また、「トラッキング横断ノイズ」とは、ビームスポットが光ディスクのランド上にあるかグルーブ上にあるかによってフォーカスエラー信号が異なる値をとることに起因して生ずるノイズのことである。
【０００６】
以下の特許文献１では、これらの現象は、グルーブからの反射光とランドからの反射光の干渉領域が、トラック横断時に、４分割センサーの分割線に対して斜めを向くことに起因して生ずると説明されている。すなわち、このように干渉領域が４分割センサーの分割線に対して斜めを向くと、たすき掛け位置にある４分割センサー上のビーム強度が不均一となる。非点収差法では、これらたすき掛け位置のセンサー出力の差分からフォーカスエラー信号を導出するため、フォーカスエラー信号に当該干渉領域によるノイズが生じてしまう。
【０００７】
そこで、以下の特許文献１では、光検出器のセンサーパターンを改良し、非点収差法を用いたときに生じる上記フォーカスエラー信号のノイズを解消している。すなわち、４つの周辺部分によって囲まれた中央領域に４つの小受光部からなる中間受光部を配し、集光スポットのうち強度分布が不安定な部分（干渉領域）に位置する中間受光部からの出力信号を用いずに、４つの周辺部分からの出力信号のみからフォーカスエラー信号を生成するようにしている。
【特許文献１】特開２００１−１０１６８１号公報
【発明の開示】
【発明が解決しようとする課題】
【０００８】
ところで、上述の光ディスクに対し情報を記録および／もしくは再生する光ディスク装置の中には、互いに異なる複数種類のディスクを互換記録／再生できるよう構成されているものがある。かかる光ディスク装置においては、互換記録／再生の対象とされる光ディスクに適した光学系ないしフォーカスエラー検出方法、トラッキングエラー検出方法が設定されなければならない。
【０００９】
ここで、ランド／グルーブ型の光ディスクと、単一トラック型の光ディスクを互換記録／再生の対象とする場合、特に、フォーカスエラーの検出方法をどのように設定するかが問題となる。
【００１０】
たとえば、光検出器とレーザ光の間の光軸調整を考えた場合、非点収差法では、４分割センサーの各出力が均一となる位置に調整すればよいから、かかる光軸調整を比較的簡便な作業にて行うことができる。
【００１１】
しかし、複数の発光素子がマウントされた半導体レーザを光源として用いる場合、発光点間の位置ずれにより、全ての発光素子からのレーザ光の光軸を４分割センサーの中心位置に適正に位置付けることはできない。また、ランド／グルーブ記録型のディスクにおいては、上記の如く、非点収差法では、精度のよいフォーカスエラー信号を導出することができない。これらの点を考慮すると、互換対象とされる全ての光ディスクに対し非点収差法を用いるのは適正とは言い難い。
【００１２】
そこで、本発明は、複数の発光素子からのレーザ光を用いて異なる種類の光ディスクを互換記録／再生する光ディスク装置において、光検出器に対する光軸調整を円滑に行いながら、ランド／グルーブ記録形の光ディスクに対しても良好にフォーカスエラー信号を導出できるようにすることを課題とする。
【課題を解決するための手段】
【００１３】
上記課題に鑑み、各請求項に係る発明はそれぞれ以下の特徴を有する。
【００１４】
請求項１の発明は、光ピックアップに関し、波長の異なる複数種類のレーザ光を発する発光素子を備える半導体レーザと、前記半導体レーザからのレーザ光を光ディスク上に収束させる対物レンズと、前記光ディスクからの反射光を０次回折光と±１次回折光に分離するとともに前記±１次回折光にそれぞれ異なる収束または拡散作用を付与する回折手段と、前記回折手段の前または後に配され前記ディスクからの反射光に非点収差作用を導入する非点収差導入手段と、前記０次回折光を受光して電気信号を出力する第１の光検出手段と、前記±１次回折光をそれぞれ受光して電気信号を出力する第２の検出手段とを有することを特徴とする。
【００１５】
請求項２の発明は、請求項１に記載の光ピックアップにおいて、前記±１次回折光に付与される収束または拡散作用は、収束または拡散作用の大きさが同一で、且つ、＋１次光に収束作用を付与し−１次光に拡散作用を付与するものであることを特徴とする。このようにすると、第２の検出手段から出力される電気信号を用いて円滑にフォーカスエラー信号を生成することができる。
【００１６】
請求項３の発明は、光ピックアップに関し、波長の異なる複数種類のレーザ光を発する発光素子を備える半導体レーザと、前記半導体レーザからのレーザ光を光ディスク上に収束させる対物レンズと、前記光ディスクからの反射光を０次回折光と±１次回折光に分離するとともに前記±１次回折光にそれぞれ異なる非点収差作用を付与する回折手段と、前記回折手段の前または後に配され前記ディスクからの反射光に非点収差作用を導入する非点収差導入手段と、前記０次回折光を受光して電気信号を出力する第１の光検出手段と、前記±１次回折光をそれぞれ受光して電気信号を出力する第２の検出手段とを有することを特徴とする。
【００１７】
請求項４の発明は、請求項３に記載の光ピックアップにおいて、前記±１次回折光に付与される非点収差作用は、非点収差作用の大きさが同一で、且つ、＋１次光に収束方向の非点収差作用を付与し−１次光に拡散方向の非点収差作用を付与するものであることを特徴とする。このようにすると、第２の検出手段から出力される電気信号を用いて円滑にフォーカスエラー信号を生成することができる。
【００１８】
請求項５の発明は、請求項１ないし４の何れかに記載の光ピックアップおいて、前記第１の光検出手段は、直交する２つの分割線によって分割されたセンサー領域を有するとともに、前記分割線の交点上を前記０次回折光の光軸が貫き、且つ、前記分割線の一方が前記光ディスクのトラック方向となるように前記センサー領域が配置されており、前記第２の光検出手段は、平行な２つの分割線によって分割されたセンサー領域を有する２組のセンサー群からなり、各センサー群の中央のセンサー領域のほぼ中央にそれぞれ前記±１次回折光が照射されるよう配置されており、前記第１の光検出手段と第２の光検出手段の各センサー領域が、同一の光検出器上に配置されていることを特徴とする。このようにすると、光検出器の構成を簡素化することができ、また、第１および第２の光検出手段から出力される電気信号をもとに、円滑に、フォーカスエラー信号を生成することができる。
【００１９】
請求項６の発明は、請求項１ないし５の何れかに記載の光ピックアップにおいて、前記回折手段は、ホログラム面を有し、当該ホログラムは、前記レーザ光の波長に応じて、前記０次回折光と±１次回折光の光量比が相違するよう設定されていることを特徴とする。このようにすると、第１および第２の光検出手段から出力される電気信号をもとに、円滑に、フォーカスエラー信号を生成することができる。
【００２０】
請求項７の発明は、請求項６に記載の光ピックアップにおいて、前記回折手段のホログラム面は、ランド／グルーブ記録方式の光ディスク用として用いられるレーザ光の±１次回折光の光量の方が、単一トラック記録方式の光ディスク用として用いられるレーザ光の±１次回折光の光量よりも大きくなるよう設定されていることを特徴とする。このようにすると、ランド／グルーブ記録方式の光ディスクあるいは単一トラック記録方式の光ディスクの何れに対しても、円滑に、フォーカスエラー信号を生成することができる。
【００２１】
請求項８の発明は、光ディスク装置に関し、波長の異なる複数種類のレーザ光を発する発光素子を備える半導体レーザと、前記半導体レーザからのレーザ光を光ディスク上に収束させる対物レンズと、前記光ディスクからの反射光を０次回折光と±１次回折光に分離するとともに前記±１次回折光にそれぞれ異なる収束または拡散作用を付与する回折手段と、前記回折手段の前または後に配され前記ディスクからの反射光に非点収差作用を導入する非点収差導入手段と、前記０次回折光を受光して電気信号を出力する第１の光検出手段と、前記±１次回折光をそれぞれ受光して電気信号を出力する第２の検出手段とを有する光ピックアップと、
前記第１の光検出手段から出力される電気信号から第１のフォーカスエラー信号を生成する第１のフォーカスエラー信号生成手段と、前記第２の光検出手段から出力される電気信号から第２のフォーカスエラー信号を生成する第２のフォーカスエラー信号生成手段と、装着された光ディスクの種別を判別するディスク種別判別手段と、前記ディスク種別判別手段による判別結果に応じて、第１のフォーカスエラー信号または第２のフォーカスエラー信号を選択し、選択したフォーカスエラー信号に基づいて前記光ディスクに対するフォーカスずれを調整するフォーカス制御手段とを有することを特徴とする。
【００２２】
請求項９の発明は、光ディスク装置に関し、波長の異なる複数種類のレーザ光を発する発光素子を備える半導体レーザと、前記半導体レーザからのレーザ光を光ディスク上に収束させる対物レンズと、前記光ディスクからの反射光を０次回折光と±１次回折光に分離するとともに前記±１次回折光にそれぞれ異なる非点収差作用を付与する回折手段と、前記回折手段の前または後に配され前記ディスクからの反射光に非点収差作用を導入する非点収差導入手段と、前記０次回折光を受光して電気信号を出力する第１の光検出手段と、前記±１次回折光をそれぞれ受光して電気信号を出力する第２の検出手段とを有する光ピックアップと、
前記第１の光検出手段から出力される電気信号から第１のフォーカスエラー信号を生成する第１のフォーカスエラー信号生成手段と、前記第２の光検出手段から出力される電気信号から第２のフォーカスエラー信号を生成する第２のフォーカスエラー信号生成手段と、装着された光ディスクの種別を判別するディスク種別判別手段と、前記ディスク種別判別手段による判別結果に応じて、第１のフォーカスエラー信号または第２のフォーカスエラー信号を選択し、選択したフォーカスエラー信号に基づいて前記光ディスクに対するフォーカスずれを調整するフォーカス制御手段とを有することを特徴とする。
【００２３】
請求項１０の発明は、請求項９に記載の光ディスク装置において、前記フォーカス制御手段は、装着された光ディスクがランド／グルーブ記録方式の光ディスクであるときには前記第２のフォーカスエラー信号をもとにフォーカスずれを調整し、装着された光ディスクが単一トラック記録方式の光ディスクであるときには前記第１のフォーカスエラー信号をもとにフォーカスずれを調整することを特徴とする。このようにすると、ランド／グルーブ記録方式の光ディスクあるいは単一トラック記録方式の光ディスクの何れに対しても、円滑に、フォーカスエラー信号を生成することができる。
【００２４】
請求項１１の発明は、請求項９または１０に記載の光ディスク装置において、前記ディスク種別判別手段は、前記半導体レーザから波長を切り替えながらレーザ光を出射し、装着された光ディスクをそれぞれの波長のレーザ光にて再生したときの再生状態に基づいて、当該光ディスクの種別を判別することを特徴とする。このようにすると、レーザ波長に対応した光ディスクを円滑に判別することができる。
【００２５】
請求項１２の発明は、請求項１１に記載の光ディスク装置において、前記ディスク種別判別手段は、前記半導体レーザから波長を切り替えながらレーザ光を出射するとともに、前記第１および第２のフォーカスエラー信号のうち、それぞれのレーザ光を用いたときの再生モードに適したフォーカスエラー信号にてフォーカス制御を行って装着された光ディスクを再生し、当該再生の可否に基づいて、当該光ディスクの種別を判別することを特徴とする。このようにすると、光ディスクの判別をより円滑に行うことができる。
【００２６】
本発明の特徴は、以下に示す実施の形態の説明により更に明らかとなろう。ただし、以下の実施の形態は、あくまでも、本発明の一つの実施形態であって、本発明ないし各構成要件の用語の意義は、以下の実施の形態に記載されたものに制限されるものではない。
【発明の効果】
【００２７】
本発明によれば、レーザ光の波長毎に非点収差法によるフォーカス制御と、ビームサイズ法等、それ以外の方法によるフォーカス制御を適宜切り替えることができる。したがって、対象ディスクがランド／グルーブ記録方式の場合には、非点収差法以外のフォーカス制御を採用し、対象ディスクが単一トラック記録方式の場合には、非点収差法によるフォーカス制御を採用して、フォーカス制御を行うことができる。このように、フォーカス制御の方法を切り替えることで、上記従来技術において示したようなフォーカスエラー信号のノイズを抑制することができ、精度よく、フォーカス制御を行うことができる。また、非点収差法をも用いることで、光検出器に対するレーザ光の光軸調整を円滑且つ簡便に行うことができる。
【００２８】
なお、上記各請求項に記載された各発明の効果は、上記課題を解決するための手段の項において示したものの他、以下の実施の形態の説明を参照してより明確に理解されるものと思われる。
【発明を実施するための最良の形態】
【００２９】
以下、本発明の実施の形態につき図面を参照して説明する。なお、本実施の形態は、ＡＯＤ（Advanced Optical Disc）とＤＶＤ（Digital Versatile Disc）を互換再生する光ディスク装置に本発明を適用したものである。
【００３０】
まず、図１に実施の形態に係る光ピックアップの光学系の構成を示す。
【００３１】
図示の如く、光ピックアップの光学系は、２波長レーザ１０１と、ＨＯＥ素子（ホログラム素子）１０２と、ＧＴ（グレーティング）１０３と、λ／２板１０４と、ＰＢＳ（偏光ビームスプリッタ）１０５と、コリメータレンズ１０６と、λ／４板１０７と、ミラー１０８と、開口制限用ＬＣ（液晶素子）１０９と、対物レンズ１１０と、集光レンズ１１１と、ＨＯＥ素子１１２と、シリンダレンズ１１３と、ＰＤ（光検出器）１１４から構成されている。
【００３２】
２波長レーザ１０１は、ＡＯＤ再生用のレーザ光（青色レーザ光：波長４０５ｎｍ）を発するレーザチップと、ＤＶＤ再生用のレーザ光（赤色レーザ光：波長６５０ｎｍ）を発するレーザチップを搭載しており、レーザ駆動回路（後述）からの駆動信号に応じて、何れかのレーザ光を発する。
【００３３】
ＨＯＥ素子１０２は、図２に示すようなホログラム面を備え、ホログラムによる回折によって、上記青色レーザ光と赤色レーザ光の光軸をほぼ一致させるよう作用する。たとえば、青色レーザ光はそのまま通過し、赤色レーザ光のみを回折して、これら２つのレーザ光の光軸を一致させる。
【００３４】
ＧＴ１０３は、入射されたレーザ光を主ビームとサブビームに分割する。λ／２板１０４は、レーザ光の偏光面がＰＢＳ１０５の偏光面に整合するようレーザ光の偏光面を調節する際に用いられる。ＰＢＳ（偏光ビームスプリッタ）１０５は、２波長レーザ１０１から出射されたレーザ光をほぼ全透過し、且つ、ディスクから反射されたレーザ光をほぼ全反射する。なお、ディスクからの反射光は、λ／４板１０７によって、２波長レーザ１０１から出射されたレーザ光に対し偏光面が９０°回転されている。
【００３５】
コリメータレンズ１０６は、入射されたレーザ光（拡散光）を平行光に変換する。ここで、コリメータレンズ１０６は、青色レーザ光を平行光に変換するよう設計されている。赤色レーザ光に対しては、拡散角を平行に近付けるよう作用する。λ／４板は、２波長レーザ１０１から出射されたレーザ光（直線偏光）を円偏光に変換し、且つ、ディスクから反射されたレーザ光（円偏光）を直線偏光に変換する。ミラー１０８は、２波長レーザ１０１から出射されたレーザ光の光路を対物レンズ方向に立ち上げる。
【００３６】
開口制限用ＬＣ１０９は、赤色レーザ光が発光されているとき、液晶素子制御回路（後述）からの駆動信号に応じて、赤色レーザ光の外周部分をカットし、中央部分のみを透過して対物レンズ１１０に入射させるよう作用する。これにより、対物レンズ１１０の開口数を赤色レーザ光の収束に適したものとする。なお、青色レーザ光が発光されているときは、レーザ光の開口制限を行わず、そのまま青色レーザ光を透過して対物レンズ１１０に入射させる。
【００３７】
対物レンズ１１０は、入射されたレーザ光を情報記録面に収束させる。ここで、対物レンズ１１０は、青色レーザ光を情報記録面上に適正に収束するよう設計されている。赤色レーザ光は、上記の開口制限用ＬＣ１０９による開口制限によって、対物レンズ１１０に対する開口数が調整され、これにより、記録面上に適正に収束されるようになる。
【００３８】
集光レンズ１１１は、ＰＢＳ１０５によって反射されたレーザ光に対して一様な収束作用を導入する。
【００３９】
ＨＯＥ素子１１２は、ホログラム面を備え、ホログラムによる回折により、集光レンズ１１１からのレーザ光を０次光と±１次光に分割する。また、分割した±１次光に収束／拡散作用あるいは非点収差作用を付与する。なお、ＨＯＥ素子１１２の詳細については、追って示す実施例１、実施例２において説明する。
【００４０】
シリンダレンズ１１３は、ＨＯＥ素子１１２を通過したレーザ光に一方向のみの収束作用（非点収差作用）を導入する。
【００４１】
ＰＤ１１４は、ＨＯＥ素子１１２によって分割された０次光、±１次光（メインビーム）と、ＨＯＥ素子１０２によって分割されたサブビームを受光するセンサーパターンを有し、受光光量に応じた電気信号を出力する。各センサーパターンは、ＲＦ信号およびフォーカスエラー信号、トラッキングエラー信号を導出するに適したものとなっている。ここで、フォーカスエラー信号は、青色レーザ光に対しては非点収差法によって導出され、また、赤色レーザ光に対しては後述の実施例１、２に示す方式（ビームサイズ法、等）によって導出される。
【００４２】
図３に、ＰＤ１１４のセンサーパターンと、各種信号を導出するための演算回路の構成を示す。
【００４３】
図示の如く、ＰＤ１１４は、センサーＡ〜Ｎによって構成されている。主ビームの０次光はセンサーＡ〜Ｄによって受光される。すなわち、レーザ光の光軸は、４分割センサーＡ〜Ｄの分割線の交差点上を貫くよう調整されている。なお、上記シリンダレンズ１１３は、４分割センサーＡ〜Ｄの分割線に対して４５度傾くよう配置されている。
【００４４】
上記ＧＴ１０３によって分割されたサブビームは、それぞれ、センサーＥ、Ｆと、センサーＧ、Ｈによって受光される。ここで、サブビームは、センサーＥおよびＦの分割線と、センサーＧおよびＨの分割線上にそれぞれ収束される。なお、メインビームとサブビームに投影されるトラック（グルーブ／ランド）のトラック方向は、同図中に示す如く、センサーＡ、ＤとセンサーＢ、Ｃを分割する分割線に平行となっている。
【００４５】
主ビームの＋１次光、−１次光は、それぞれ、センサーＩ〜Ｋと、センサーＬ〜Ｎによって受光される。ここで、＋１次光と−１次光は、それぞれ、センサーＪとセンサーＭの中央部に投影される。
【００４６】
これらのセンサーは、それぞれ図示に示す如くして、減算回路２０１〜２０５および乗算回路２０６に接続されている。なお、再生ＲＦ信号を生成するための加算回路は、図示省略している。かかる加算回路は、センサーＡ〜ＤとセンサーＩ〜Ｋ、Ｌ〜Ｍの各センサー出力を加算するようにして、これらセンサーＡ〜Ｄ、Ｉ〜Ｋ、Ｌ〜Ｍに接続されている。
【００４７】
減算回路２０３からはＡＯＤ再生時に用いられるフォーカスエラー信号（ビームサイズ法、等）が出力される。また、減算回路２０４からはＤＶＤ再生時に用いられるフォーカスエラー信号（非点収差法）が出力される。なお、減算回路２０４からの信号は、ＤＶＤ再生時のトラッキングエラー信号（ＤＰＤ法：Differential Phase Detection）としても用いられる。減算回路２０５からは、ＡＯＤ再生時のトラッキングエラー信号（ＤＰＰ法：Differential Push Pull）が出力される。
【００４８】
具体的には、センサーＡ〜Ｎから出力される電気信号を信号Ａ〜Ｎとすると、減算回路２０３からは、信号：（Ｉ＋Ｋ＋Ｍ）−（Ｊ＋Ｌ＋Ｎ）が出力される。また、減算回路２０４からは、信号：（Ａ＋Ｃ）−（Ｂ＋Ｄ）が出力される。また、減算回路２０４からは、信号：｛（Ａ＋Ｄ）−（Ｂ＋Ｃ）｝＋ｋ｛（Ｅ−Ｆ）＋（Ｇ−Ｈ）｝が出力される。ここで、ｋは、乗算回路２０６による倍率値である。なお、ビームサイズ法、非点収差法、ＤＰＤ法、ＤＰＰ法によるエラー信号の導出原理については、周知の事項であるので、ここではその説明を省略する。
【００４９】
図４に、上記対物レンズ１１０を駆動するアクチュエータの構成を示す。
【００５０】
図示の如く、対物レンズ駆動アクチュエータは、ベース３０１と、レンズホルダー３０２と、ワイヤー３０３と、トラッキングコイル３０４と、フォーカスコイル３０５と、ヨーク３０６と、マグネット３０７から構成されている。
【００５１】
レンズホルダー３０２は、対物レンズ１１０を保持するとともに、ワイヤー３０３によって、ベース３０１にフォーカス方向およびトラッキング方向に移動可能に支持されている。また、レンズホルダー３０２は、中央部の開口にフォーカスコイル３０５が装着されており、さらに、フォーカスコイル３０５の側面には、一対のトラッキングコイル３０４が貼着されている。これらフォーカスコイル３０５とトラッキングコイル３０３には、ワイヤー３０３を介して、フォーカスサーボ信号とトラッキングサーボ信号が供給される。
【００５２】
また、ベース３０１には、Ｕ字状のヨーク３０６が、フォーカスコイル３０５およびトラッキングコイル３０４を挟むようにして取り付けられている。また、ヨーク３０６の内側面には、マグネット３０７が固着されている。レンズホルダー３０２の開口は、マグネット間またはマグネット３０７とヨーク３０６の間の磁気ギャップ位置が切り欠かれており、これにより、磁界がフォーカスコイル３０５およびトラッキングコイル３０４に効率よく印加される。なお、トラッキングコイル３０４は、開口の切り欠き位置に位置するよう、フォーカスコイル３０５に貼着されている。
【００５３】
図５に、ＡＯＤまたはＤＶＤから情報を再生するディスク装置の要部構成を示す。
【００５４】
図示の如く、ディスク装置は、光ピックアップ１０と、レーザ駆動回路１１と、検出信号生成回路１２と、波形整形回路１３と、デコーダ１４と、コントローラ１５と、サーボ信号生成回路１６と、液晶素子制御回路１７とを有している。
【００５５】
光ピックアップ装置１０は、ディスクから情報を読み取るもので、上述の光学系と対物レンズ駆動アクチュエータを内蔵している。レーザ駆動回路１１は、コントローラ１５からの制御に応じて、上記２波長レーザ１０１を制御する。検出信号生成回路１２は、光検出器１１４からの電気信号から再生ＲＦ信号、フォーカスエラー信号、トラッキングエラー信号を生成するもので、上記図３に示すような演算回路を備えている。波形整形回路１３は、検出信号生成回路１２からの再生ＲＦ信号を波形整形してデコーダ１４に供給する。デコーダ１４は、波形整形回路１３からの再生ＲＦ信号から再生データを復調する。
【００５６】
コントローラ１５は、ホストコンピュータ（図示せず）からの指令に応じて各部を制御する。また、後述の如く、デコーダ１４からの再生データに基づいて、ディスク種別を判別し、種別に応じた再生制御を実行する。
【００５７】
サーボ信号生成回路１６は、検出信号生成回路１２からのフォーカスエラー信号およびトラッキングエラー信号からフォーカスサーボ信号およびトラッキングサーボ信号を生成し、これを光ピックアップ１０の対物レンズ駆動アクチュエータに供給する。ここで、サーボ信号生成回路１６は、コントローラ１５による制御にしたがって、ＡＯＤ再生時とＤＶＤ再生時とで、上記の如く、サーボ信号の生成に用いるフォーカスエラー信号とトラッキングエラー信号を切り替える。
【００５８】
液晶素子制御回路１７は、上記の如く、ＡＯＤ再生時とＤＶＤ再生時とで、開口制限用ＬＣ１０９を制御し、対物レンズ１１０に対するレーザ光の開口数を調整する。すなわち、赤色レーザ光が発光されているとき、赤色レーザ光の外周部分をカットし、中央部分のみを透過して対物レンズ１１０に入射させる。これにより、対物レンズ１１０の開口数を赤色レーザ光の収束に適したものとする。
【００５９】
図６に、ディスク装着時等に実行されるディスク種別の判別処理を示す。
【００６０】
ディスクが装着されると、まず、上記２波長レーザ１０１から赤色レーザ光が出射される（Ｓ１０１）。また、開口制限用ＬＣ１０９が駆動されて、対物レンズ１１０に対するレーザ光の開口数調整がなされる（Ｓ１０２）。さらに、上記図３に示す演算回路によって生成されるフォーカスエラー信号およびトラッキングエラー信号のうち、ＤＶＤ再生用のフォーカスエラー信号およびトラッキングエラー信号（同図の減算回路２０４からの出力信号）をもとにしたフォーカスサーボとトラッキングサーボがサーボ信号生成回路１６に設定される（Ｓ１０３）。そして、光ピックアップがＤＶＤのリードイン位置にアクセスされ、リードイン情報の読み取りが行われる（Ｓ１０４）。
【００６１】
かかる読み取り動作において、リードイン情報が正しく読み取られると（Ｓ１０５：ＹＥＳ）、当該ディスクはＤＶＤであると判別し（Ｓ１０６）、再生モードがＤＶＤモードに設定される。
【００６２】
他方、リードイン情報が正しく読み取られない場合には（Ｓ１０５：ＮＯ）、上記２波長レーザ１０１から青色レーザ光が出射されるよう、２波長レーザ１０１の発光素子が切り替えられる（Ｓ１０７）。そして、開口制限用ＬＣ１０９が非駆動状態とされ（Ｓ１０８）、さらに、上記図３に示す演算回路によって生成されるフォーカスエラー信号およびトラッキングエラー信号のうち、ＡＯＤ再生用のフォーカスエラー信号およびトラッキングエラー信号（同図の減算回路２０３と減算回路２０５からの出力信号）をもとにしたフォーカスサーボとトラッキングサーボがサーボ信号生成回路１６に設定される（Ｓ１０９）。そして、光ピックアップがＡＯＤのリードイン位置にアクセスされ、リードイン情報の読み取りが行われる（Ｓ１１０）。
【００６３】
かかる読み取り動作において、リードイン情報が正しく読み取られると（Ｓ１１１：ＹＥＳ）、当該ディスクはＡＯＤであると判別し（Ｓ１１２）、再生モードがＡＯＤモードに設定される。他方、リードイン情報が正しく読み取られないときは（Ｓ１１１：ＮＯ）、当該ディスクの再生は不可として、ＮＧ処理（たとえば再生不可の表示等）が実行される（Ｓ１１３）。
【００６４】
上記判別処理において、ＤＶＤモードが設定されると（Ｓ１０６）、当該ディスクの再生時には、コンローラ１５による制御により、開口制限用ＬＣ１０９による開口数調整が行われ、且つ、ＤＶＤ再生用のフォーカスエラー信号およびトラッキングエラー信号（同図の減算回路２０４からの出力信号）をもとにしたフォーカスサーボとトラッキングサーボが実行される。
【００６５】
また、ＡＯＤモードが設定されると（Ｓ１１２）、当該ディスクの再生時には、コンローラ１５による制御により、開口制限用ＬＣ１０９が非駆動状態とされ、且つ、ＡＯＤ再生用のフォーカスエラー信号およびトラッキングエラー信号（同図の減算回路２０３、２０５からの出力信号）をもとにしたフォーカスサーボとトラッキングサーボが実行される。
【００６６】
かかるサーボの切り換えによって、ディスク再生が良好に行われる。すなわち、ランド／グルーブ記録のＡＯＤを再生する際には、フォーカスエラー信号の生成を、非点収差法ではなくビームサイズ法等に設定することにより、非点収差法において生じる上記サーボの乱れを解消し、これにより、ＡＯＤに対する再生処理を円滑に行うことができる。
【実施例１】
【００６７】
次に、上記ＨＯＥ素子１１２の構成例について説明する。
【００６８】
本実施例におけるＨＯＥ素子１１２は、図７に示すようなホログラム面を備えている。かかるホログラム面は、上記集光レンズ１１２からのレーザ光（主ビーム）を０次光と＋１次光、−１次光に分割するとともに、＋１次光の収束点と−１次光の収束点が光軸方向に前後するよう、＋１次光と−１次光に収束／発散作用を導入するよう設計されている。
【００６９】
ここで、ホログラム面は、かかる作用に加え、青色レーザ光における±１次光の光量の方が、赤色レーザ光における±１次光の光量よりも大きくなるよう、上記の光学作用に波長依存性を付与するよう設計するのが好ましい。究極的には、赤色レーザ光における±１次光の光量のみをゼロにするのが好ましい。これにより、ＤＶＤ再生時（赤色レーザ光を使用）には、０次光をもとに導出される信号を大きくすることができ、また、ＡＯＤ再生時（青色レーザ光使用）には、±１次光から導出される信号を大きくすることができるようになる。上記の如く、ＤＶＤ再生時には、０次光からフォーカスエラー信号とトラッキングエラー信号が導出され（図３の減算回路２０４）、また、ＡＯＤ再生時には、±１次光からフォーカスエラー信号が導出される（図３の減算回路２０３）。よって、上記の如くホログラム面に波長依存性を持たせれば、ＤＶＤ再生時およびＡＯＤ再生時におけるフォーカスエラー信号とトラッキングエラー信号を円滑に導出することができるようになる。なお、かかる波長依存性の付与は、ホログラムパターンの深さを調整することによって実現できる。
【００７０】
図８に、ＨＯＥ素子１１２の具体的設計例を示す。かかる設計例において、ＨＯＥ素子１１２のホログラムパターンはＨＯＥ素子１１２上の位相伝達関数によって規定されている。すなわち、レーザ光がＨＯＥ素子１１２を通過することによって、上述の光学作用に応じた位相となるように、ＨＯＥ素子１１２上の位相伝達関数の係数Ｃ１、Ｃ２、…が設定される。そして、この位相伝達関数に応じたホログラムパターンがＨＯＥ素子１１２上のホログラム面に形成される。
【００７１】
なお、図８に示す設計仕様に従えば、＋１次光と−１次光に導入される収束・拡散作用の大きさは同じで、その極性が相違（一方に収束作用を、他方に拡散作用を導入）するようになる。また、このときのホログラムパターンのピッチは、密から疎にかけて、２７μｍ〜３６μｍの範囲で変化する。
【００７２】
ＨＯＥ素子１１２によって分割された主ビームの＋１次光と−１次光は、上記の如く、図３のセンサーＩ〜ＫとセンサーＬ〜Ｎに収束される。ここで、それぞれのセンサー群上における＋１次光と−１次光のスポット形状は、レーザ光の合焦点が情報記録面上に位置付けられているとき、図３に示すようになる。そして、レーザ光の合焦点が情報記録面からずれるにしたがって、一方の光のスポットサイズが他方の光のスポットサイズより徐々に大きくなる。何れの光のスポットサイズが大きくなるかは、情報記録面に対する合焦点のズレ方向に依存する。したがって、減算回路２０３からの信号：（Ｉ＋Ｋ＋Ｍ）−（Ｊ＋Ｌ＋Ｎ）の大きさ（絶対値）によってフォーカスズレの大きさを判別でき、また、当該信号の極性（正／負）によって、フォーカスズレの方向を判別できる（ビームサイズ法）。
【００７３】
また、ＨＯＥ素子１１２によって分割された主ビームの０次光は、上記の如く、図３のセンサーＡ〜Ｄに収束される。ここで、センサー群上における０次光のスポット形状は、レーザ光の合焦点が情報記録面上に位置付けられているとき、図３に示すように真円となる。そして、レーザ光の合焦点が情報記録面からずれるにしたがって、真円のビームスポットが、光センサーＡ、Ｃの方向あるいは光センサーＢ、Ｄの方向に、徐々に細長くなる。何れの方向に細長くなるかは、情報記録面に対する合焦点のズレ方向に依存する。したがって、減算回路２０４からの信号：（Ａ＋Ｃ）−（Ｂ＋Ｄ）の大きさ（絶対値）によってフォーカスズレの大きさを判別でき、また、当該信号の極性（正／負）によって、フォーカスズレの方向を判別することができる（非点収差法）。
【００７４】
上記の如く、減算回路２０３からのフォーカスエラー信号（ビームサイズ法）はＡＯＤ再生時に用いられ、減算回路２０４からのフォーカスエラー信号（非点収差法）はＤＶＤ再生時に用いられる。ＡＯＤはランド／グルーブ記録であるため、非点収差法によるフォーカスエラー信号を用いると、上記従来技術において示した如く、フォーカスエラー信号がゼロになる位置と対物レンズの合焦位置との間にずれが生じる。そこで、本実施例では、ＡＯＤ再生時には、ビームサイズ法によるフォーカスエラー信号（減算回路２０３からの信号）をフォーカスサーボに用いる。ビームサイズ法に従えば、ランド／グルーブ記録によって斜め方向に光量の偏りが生じても、精度良くフォーカスエラー信号を生成することができる。
【００７５】
図９に、レーザ光の合焦点が情報記録面上からプラス方向およびマイナス方向にデフォーカスしたときのセンサー上における０次光と±１次光（青色レーザ光）のビームスポット形状（シミュレーション）を示す。なお、かかるシミュレーションは、図８に示す具体的設計例に従うものである。よって、＋１次光と−１次光に導入される収束・拡散作用の大きさは同じで、その極性が相違（一方に収束作用を、他方に拡散作用を導入）している。
【００７６】
同図に示す如く、本実施例のＨＯＥ素子１１２を用いた場合、＋１次光のビームスポットと−１次光のビームスポットの大きさが、フォーカスズレに応じて、それぞれ大小逆方向に変化する。よって、上記図３のセンサーパターンと演算回路を用いることにより、フォーカスエラー信号を円滑に導出することができる。
【００７７】
なお、図９は、＋１次光と−１次光に導入される収束・拡散作用を同一とし、その極性を相違させた場合のものであったが、収束・拡散作用の極性を同一とし、その大きさを相違させるようにすることもできる。この場合、デフォーカスに応じて＋１次光と−１次光のスポットサイズの大小方向が同じで、その大きさが互いに相違するようになる。たとえば、図９において、−１次光のスポットサイズが、それぞれのデフォーカス位置において、＋１次光のスポットサイズよりも大きくなる。
【００７８】
この場合も、±１次光を上記図３のセンサーＩ〜ＫとセンサーＬ〜Ｎで受光し、同図の減算回路２０３からフォーカスエラー信号を導出することもできるが、導出されるフォーカスエラー信号は上記図９の場合に比べ劣化したものとなる。精度の良いフォーカスエラー信号を導出するためには、上記の如く、＋１次光と−１次光に導入される収束・拡散作用の大きさを同じとし、その極性を相違させるようにするのが好ましい。
【実施例２】
【００７９】
次に、上記ＨＯＥ素子１１２の他の構成例について説明する。
【００８０】
本実施例におけるＨＯＥ素子１１２は、図１０（ａ）に示すようなホログラム面を備えている。かかるホログラム面は、上記集光レンズ１１２からのレーザ光（主ビーム）を０次光と＋１次光、−１次光に分割するとともに、±１次光にそれぞれ一方向の収束または拡散作用（非点収差）を導入するよう設計されている。ここで、±１次光に導入される収束・拡散作用の方向は、シリンダレンズ１１３によって導入される収束作用の収束方向に対し、レーザ光の光軸に直交する方向に４５度傾くよう設定されている。また、＋１次光と−１次光に導入される非点収差作用は互いに異なっており、好ましくは、＋１次光と−１次光に導入される非点収差作用の大きさが同じで、極性が相違する（一方に収束作用を、他方に拡散作用を導入する）ようにすると良い。
【００８１】
なお、かかるホログラム面に対しても、上記実施例１と同様、青色レーザ光における±１次光の光量の方が、赤色レーザ光における±１次光の光量よりも大きくなるよう、上記の光学作用に波長依存性を付与するよう設計するのが好ましく、究極的には、赤色レーザ光における±１次光の光量のみをゼロにするのが好ましい。これにより、上記実施例１において説明したと同様、ＤＶＤ再生時およびＡＯＤ再生時の何れにおいても円滑に、フォーカスエラー信号とトラッキングエラー信号を導出できるようになる。なお、かかる波長依存性の付与は、上記実施例１と同様、ホログラムパターンの深さを調整することによって実現できる。
【００８２】
図１１に、ＨＯＥ素子１１２の具体的設計例を示す。本設計例では、上記図８の場合に比べ、位相伝達関数の係数Ｃ１、Ｃ２、…が相違している。これにより、実施例１とは相違する光学作用、すなわち、＋１次光と−１次光に対する非点収差作用が導入される。
【００８３】
なお、図１１に示す設計仕様に従えば、＋１次光と−１次光に導入される非点収差作用の大きさは同じとなり、且つ、その極性が相違する（一方に収束作用を、他方に拡散作用を導入）ようになる。また、このときのホログラムパターンのピッチは、密から疎にかけて、２８μｍ〜３８μｍの範囲で変化する。
【００８４】
図１０（ｂ）に、レーザ光の合焦点が情報記録面上からプラス方向およびマイナス方向にデフォーカスしたときのセンサー上における０次光と±１次光（青色レーザ光）のビーム形状（シミュレーション）を示す。なお、かかるシミュレーションは、図１１に示す具体的設計例に従うものである。よって、＋１次光と−１次光に導入される非点収差作用の大きさは同じで、その極性が相違（一方に収束作用を、他方に拡散作用を導入）している。
【００８５】
同図に示す如く、本実施例のＨＯＥ素子１１２を用いた場合には、＋１次光のビームスポットと−１次光のビームスポットの大きさと形状はほぼ同様となるが、上記ホログラム面による非点収差作用によって、ビームスポットの回転量が、＋１次光のビームスポットと−１次光のビームスポットとでそれぞれ相違するようになる。たとえば、同図に示す如く、プラス方向（＋ＤＦ）にデフォーカスしたときは＋１次光のビームスポットの回転量が−１次光のビームスポットの回転量よりも大きくなり、逆に、マイナス方向（−ＤＦ）にデフォーカスしたときは−１次光のビームスポットの回転量が＋１次光のビームスポットの回転量よりも大きくなる。
【００８６】
かかるビームスポットを図３のセンサーＩ〜ＫとセンサーＬ〜Ｎにて受光すると、センサーＩ、Ｋ、Ｍによって受光される光量とセンサーＪ、Ｌ、Ｎによって受光される光量の大小関係がデフォーカスの方向に応じて逆転するようになり、且つ、両者の受光量の差がデフォーカスの大きさに応じて大きくなるようになる。よって、本実施例のＨＯＥ素子１１２を用いた場合にも、上記図３のセンサーパターンと演算回路を用いることにより、フォーカスエラー信号を円滑に導出することができる。
【００８７】
なお、図１０（ｂ）は、＋１次光と−１次光に導入される非点収差作用の極性を相違させた場合のものであったが、非点収差作用の極性を同一とし、その大きさを相違させるようにすることもできる。この場合には、０次光を基準として、＋１次光と−１次光のスポットの回転方向が同じで、回転量が互いに相違するようになる。たとえば、図１０（ｂ）において、−１次光の回転角が、それぞれのデフォーカス位置において、０次光の回転角と＋１次光の回転角の間の回転角を有するようになる。
【００８８】
この場合も、±１次光を上記図３のセンサーＩ〜ＫとセンサーＬ〜Ｎで受光し、同図の減算回路２０３からフォーカスエラー信号を導出することもできるが、導出されるフォーカスエラー信号は上記図１０（ｂ）の場合に比べかなり小さくなる。フォーカスエラー信号を円滑に導出するためには、上記の如く、＋１次光と−１次光に導入される非点収差作用の大きさを同じとし、その極性を相違させるようにするのが好ましい。
【００８９】
以上、本発明に係る実施の形態について説明したが、本発明はかかる実施の形態に限定されるものではなく、他に種々の変更が可能であることは言うまでもない。
【００９０】
たとえば、上記実施の形態では、ＡＯＤとＤＶＤを互換再生できるディスク装置に本発明を適用した構成を示したが、本発明は、ＡＯＤとＤＶＤを互換記録／再生できるディスク装置に適用することもできる。また、上記実施の形態では、リードイン情報の読み取り動作によってディスク種別を判別するようにしたが、その他の判別方法、たとえば、ディスクに一定強度のレーザ光を照射し、その再生信号の振幅値をもとにディスク種別を判別するようにすることもできる。さらに、本発明は、ＡＯＤとＤＶＤに限らず、他のディスク間の互換記録再生ないし互換記録／再生にも適用できる。この他、図１に示した光学系や、図４に示した対物レンズ駆動アクチュエータ等の構成も適宜変更可能である
本発明の実施の形態は、特許請求の範囲に示された技術的思想の範囲内において、適宜、種々の変更が可能である。
【図面の簡単な説明】
【００９１】
【図１】実施の形態に係る光ピックアップの光学系を示す図
【図２】実施の形態に係るＨＯＥ素子１０２の構成例を示す図
【図３】実施の形態に係るＰＤ１１４のセンサーパターンと演算回路を示す図
【図４】実施の形態に係る対物レンズ駆動アクチュエータを示す図
【図５】実施の形態に係る光ディスク装置の要部構成を示す図
【図６】実施の形態に係るディスク種別判別処理動作を示すフローチャート
【図７】実施例１に係るＨＯＥ素子１１２の構成例を示す図
【図８】実施例１に係るＨＯＥ素子の具体的設計例を示す図
【図９】実施例１に係るビーム形状のシミュレーション結果を示す図
【図１０】実施例２に係るＨＯＥ素子１１２の構成例とビーム形状のシミュレーション結果を示す図
【図１１】実施例２に係るＨＯＥ素子の具体的設計例を示す図
【符号の説明】
【００９２】
１０１  ２波長レーザ
１１０  対物レンズ
１１２  ＨＯＥ素子
１１３  シリンドリカルレンズ
１１４  ＰＤ（光検出器）
２０３  減算回路
２０４  減算回路
１２  検出信号生成回路
１４  デコーダ
１５  コントローラ
１６  サーボ信号生成回路
【図１】
2005174503.tif 000003
【図２】
2005174503.tif 000004
【図３】
2005174503.tif 000005
【図４】
2005174503.tif 000006
【図５】
2005174503.tif 000007
【図６】
2005174503.tif 000008
【図７】
2005174503.tif 000009
【図８】
2005174503.tif 000010
【図９】
2005174503.tif 000011
【図１０】
2005174503.tif 000012
【図１１】
2005174503.tif 000013